(57)【要約】【課題】  高出力の白色照明装置を提供する。【解決手段】  実装基板の一面に発光色が赤，緑、青となる３種類のフリップ・チップ接続構造の発光ダイオード装置を搭載する照明装置であり、発光ダイオード装置は、透明な絶縁性樹脂からなる三角形の封止体と、封止体の下面の中心に設けられた円形の第１の電極層３ａと、封止体の下面の三角形の各頂点から三角形の内方に亘って形成される第２の電極層と、封止体内に位置し、第１の電極の内面に裏面電極を介して電気的に接続される発光ダイオードチップと、前記発光ダイオードチップの上面の電極と一つの第２の電極層とを接続する導電性のワイヤとからなり、三角形の各発光ダイオード装置は隣接配置される発光ダイオード装置において対面する相互の三角形の辺が平行に位置するように整列配置されている。【選択図】        図１
2007027157.tif 000002
【特許請求の範囲】
【請求項１】
第１の面及び前記第１の面の反対面となる第２の面を有する透明な絶縁性の樹脂からなる正三角形の封止体と、
前記封止体の前記第２の面の縁から外れた部分に設けられ、外面が前記第２の面に露出し前記外面の反対面となる内面が前記封止体内に位置する第１の電極層と、
前記封止体の前記第２の面の前記三角形の各頂点から前記三角形の所定部分に亘って形成され、外面及び一部の側面が前記封止体の表面に露出し前記外面の反対面となる内面が前記封止体内に位置する３個の第２の電極層と、
前記封止体内に位置し、第１の面に第１の電極を有し、前記第１の面の反対面となる第２の面に前記第１の電極とは極性が反対となる第２の電極を有し、前記第２の電極が前記第２の電極層の前記内面に導電性接着剤によって接続される発光ダイオードチップと、
前記封止体内に位置し、前記発光ダイオードチップの前記第１の電極と前記３個の第２の電極層のうちの一つの第２の電極層とを接続する導電性のワイヤとを有することを特徴とする発光ダイオード装置。
【請求項２】
前記ワイヤが接続されない前記２個の第２の電極層のうちの一つの前記第２の電極層と前記第１の電極層は連結片によって連なり、かつ前記第１の電極層には前記封止体の１側面に一端面が露出する連結片が連結されていることを特徴とする請求項１に記載の発光ダイオード装置。
【請求項３】
第１の面及び前記第１の面の反対面となる第２の面を有する透明な絶縁性の樹脂からなる正三角形の封止体と、
前記封止体の前記第２の面の縁から外れた部分に設けられ、外面が前記第２の面に露出し前記外面の反対面となる内面が前記封止体内に位置する第１の電極層と、
前記封止体の前記第２の面の前記三角形の各頂点から前記三角形の所定部分に亘って形成され、外面及び一部の側面が前記封止体の表面に露出し前記外面の反対面となる内面が前記封止体内に位置する３個の第２の電極層と、
前記封止体内に位置し、第１の面に第１の電極を有し、前記第１の面の反対面となる第２の面に前記第１の電極とは極性が反対となる第２の電極を有し、前記第２の電極が前記第２の電極層の前記内面に導電性接着剤によって接続される複数の発光ダイオードチップと、
前記封止体内に位置し、前記各発光ダイオードチップの前記第１の電極と前記各第２の電極層とを接続する導電性の複数のワイヤとを有し、
前記第１の電極及び前記第２の電極層には前記各ワイヤが１本のみ接続されていることを特徴とする発光ダイオード装置。
【請求項４】
前記複数の前記発光ダイオードチップは相互に発光色が異なることを特徴とする請求項３に記載の発光ダイオード装置。
【請求項５】
前記発光ダイオードチップは３個であり、一は赤色光を発光する発光ダイオードチップであり、一は緑色光を発光する発光ダイオードチップであり、一は青色光を発光する発光ダイオードチップであることを特徴とする請求項３に記載の発光ダイオード装置。
【請求項６】
封止体内に発光ダイオードチップを有し、前記封止体の第２の面にフリップ・チップ接続が可能な電極層を有する複数の発光ダイオード装置と、
前記発光ダイオード装置を第１の面に複数接続できる配線パターンを有する実装基板とを有する照明装置であって、
前記発光ダイオード装置は、
第１の面及び前記第１の面の反対面となる第２の面を有する透明な絶縁性の樹脂からなる三角形の封止体と、
前記封止体の前記第２の面の縁から外れた部分に設けられ、外面が前記第２の面に露出し前記外面の反対面となる内面が前記封止体内に位置する第１の電極層と、
前記封止体の前記第２の面の前記三角形の各頂点から前記三角形の所定部分に亘って形成され、外面及び一部の側面が前記封止体の表面に露出し前記外面の反対面となる内面が前記封止体内に位置する３個の第２の電極層と、
前記封止体内に位置し、第１の面に第１の電極を有し、前記第１の面の反対面となる第２の面に前記第１の電極とは極性が反対となる第２の電極を有し、前記第２の電極が前記第２の電極層の前記内面に導電性接着剤によって接続される発光ダイオードチップと、
前記封止体内に位置し、前記発光ダイオードチップの前記第１の電極と前記３個の第２の電極層のうちの一つの第２の電極層とを接続する導電性のワイヤとからなり、
前記三角形の発光ダイオード装置は隣接配置される発光ダイオード装置において、対面する相互の三角形の辺が平行に位置するように整列配置されていることを特徴とする照明装置。
【請求項７】
前記複数の発光ダイオード装置は発光色の異なる複数種類の発光ダイオード装置であることを特徴とする請求項６に記載の照明装置。
【請求項８】
前記複数の発光ダイオード装置は発光色が赤色、緑色及び青色となる複数種類の発光ダイオード装置であることを特徴とする請求項６に記載の照明装置。
【請求項９】
前記複数の発光ダイオード装置は、発光する光の色が青、赤、緑の３種類の発光ダイオード装置であり、
前記実装基板は前記青、赤、緑の３種類の発光系統を区分けした配線構造となり、
前記３種類の発光系統はそれぞれ電源用集積回路装置及びコントロール用集積回路装置に接続され、
前記コントロール用集積回路装置は前記３種類の発光系統の発光をそれぞれ制御し、
前記電源用集積回路装置は３種類の発光系統の電力をそれぞれ制御する構成になっていることを特徴とする請求項６に記載の照明装置。
【請求項１０】
前記発光ダイオード装置は整列配置されて前記発光ダイオード装置の全体の輪郭が正三角形となり、
前記実装基板の外形は前記全体の輪郭である正三角形と一致、または近似した寸法の三角形になっていることを特徴とする請求項６に記載の照明装置。
【請求項１１】
前記三角形の実装基板は、三角錐窪みの三角形空間に嵌め込める形状になっていることを特徴とする請求項１０に記載の照明装置。
【請求項１２】
前記発光ダイオード装置は整列配置されて前記発光ダイオード装置の全体の輪郭が正六角形となっていることを特徴とする請求項６に記載の照明装置。
【請求項１３】
前記正六角形となる照明装置が平面方向に複数組み合わされてなることを特徴とする請求項１２に記載の照明装置。
【請求項１４】
前記発光ダイオード装置において、
前記第１の電極層上に、発光色が赤となる発光ダイオードチップ、発光色が緑となる発光ダイオードチップ、発光色が青となる発光ダイオードチップのそれぞれ第２の電極を導電性接着剤で接続し、
前記各発光ダイオードチップの第１の電極と前記第２の電極層を導電性のワイヤで接続し、
前記各発光ダイオードチップの第１の電極及び前記第２の電極層には前記各ワイヤが１本のみ接続されていることを特徴とする請求項６に記載の照明装置。
【請求項１５】
支柱の上端に照明部を取り付け、前記支柱の下端は床に載置される脚部に固定し、前記脚部の一側面から先端がプラグとなるコードを突出させ、前記コードは前記支柱内を延在させて前記照明部の配線に接続させ、前記支柱の外周面にはスイッチを取り付け、前記スイッチのオン・オフによって前記照明部がオン・オフするように構成してなる照明装置であって、
前記照明部を、
封止体内に発光ダイオードチップを有し、前記封止体の第２の面にフリップ・チップ接続が可能な電極層を有する複数の発光ダイオード装置と、
前記発光ダイオード装置を第１の面に複数接続できる配線パターンを有する実装基板とで構成するものであって、
前記発光ダイオード装置は、
第１の面及び前記第１の面の反対面となる第２の面を有する透明な絶縁性の樹脂からなる三角形の封止体と、
前記封止体の前記第２の面の縁から外れた部分に設けられ、外面が前記第２の面に露出し前記外面の反対面となる内面が前記封止体内に位置する第１の電極層と、
前記封止体の前記第２の面の前記三角形の各頂点から前記三角形の所定部分に亘って形成され、外面及び一部の側面が前記封止体の表面に露出し前記外面の反対面となる内面が前記封止体内に位置する３個の第２の電極層と、
前記封止体内に位置し、第１の面に第１の電極を有し、前記第１の面の反対面となる第２の面に前記第１の電極とは極性が反対となる第２の電極を有し、前記第２の電極が前記第２の電極層の前記内面に導電性接着剤によって接続される発光ダイオードチップと、
前記封止体内に位置し、前記発光ダイオードチップの前記第１の電極と前記３個の第２の電極層のうちの一つの第２の電極層とを接続する導電性のワイヤとからなり、
前記実装基板に接続した前記三角形の発光ダイオード装置は隣接配置される発光ダイオード装置において、対面する相互の三角形の辺が平行に位置するように整列配置され、
前記発光ダイオード装置の全体の輪郭は正三角形となり、
前記実装基板の外形は前記全体の輪郭である正三角形と一致、または近似した寸法の三角形になっており、
前記照明部は、室内を形成する隣り合う二つの壁面及び天井面で形成される三角錐状の窪みに傾斜して嵌まり込み前記室内を照明するようになっていることを特徴とする照明装置。
【請求項１６】
前記発光ダイオード装置において、
前記第１の電極層上に、発光色が赤となる発光ダイオードチップ、発光色が緑となる発光ダイオードチップ、発光色が青となる発光ダイオードチップのそれぞれ第２の電極を導電性接着剤で接続し、
前記各発光ダイオードチップの第１の電極と前記第２の電極層を導電性のワイヤで接続し、
前記各発光ダイオードチップの第１の電極及び前記第２の電極層には前記各ワイヤが１本のみ接続されていることを特徴とする請求項１５に記載の照明装置。
【請求項１７】
（ａ）支持テープと、前記支持テープの第１の面に剥離可能に形成された複数の導体からなる電極層とを有し、前記電極層のパターンは、いずれの電極層に着目しても着目した電極層の周囲の電極層は正六角形の各頂点に位置し、前記着目した電極層は前記正六角形の中心に位置するパターンとなる配線板を準備する工程、
（ｂ）前記正六角形の各頂点に中心を位置させる６個の前記電極層の中から中心位置を結んで正三角形を構成する３個の前記電極層をそれぞれ第２の電極層として選択し、前記３個の第２の電極層による前記正三角形の中心に位置する前記電極層を第１の電極層と選択し、前記各第１の電極層上に、第１の面に第１の電極を有し前記第１の面の反対面となる第２の面に前記第１の電極とは極性が反対となる第２の電極を有する発光ダイオードチップの前記第２の電極を導電性の接着剤で接続する工程、
（ｃ）前記各正三角形内に位置する前記発光ダイオードチップの前記第１の電極と、前記正三角形を構成する３個の前記第２の電極層のうちの一つでありかつ前記正三角形領域内の前記電極層部分とを導電性のワイヤで接続する工程、
（ｄ）前記支持テープの前記第１の面側に前記発光ダイオードチップ及び前記ワイヤを覆う絶縁性樹脂からなる樹脂層を形成する工程、
（ｅ）ダイシングブレードで前記樹脂層の表面から前記支持テープの表層に及ぶ切断溝を前記各正三角形の各辺に沿って形成する工程、
（ｆ）前記支持テープを剥離して複数の三角形の発光ダイオード装置を形成する工程とを有することを特徴とする発光ダイオード装置の製造方法。
【請求項１８】
前記工程（ｂ）では、３個以下の前記発光ダイオードチップを接続し、
前記工程（ｃ）では、前記各発光ダイオードチップの前記第１の電極と、前記第２の電極層を導電性のワイヤで接続し、
前記正三角形内においては一つの前記第２の電極層には１本のワイヤしか接続しないことを特徴とする請求項１７に記載の発光ダイオード装置の製造方法。
【請求項１９】
前記工程（ｂ）では、発光色が異なる発光ダイオードチップをそれぞれ接続することを特徴とする請求項１８に記載の発光ダイオード装置の製造方法。
【請求項２０】
前記工程（ｂ）では、発光色が赤色、緑色、青色の３種類の発光ダイオードチップをそれぞれ接続することを特徴とする請求項１８に記載の発光ダイオード装置の製造方法。
【請求項２１】
（ａ）一対の枠片と、この枠片間に所定間隔で平行に複数形成された細長の連結片と、前記連結片にその長手方向に沿って所定間隔に瘤状に形成された円形の電極層とを有し、隣接する前記連結片における前記電極層の位置はずれ、前記電極層の配列パターンはいずれの電極層に着目しても着目した電極層の周囲の電極層は正六角形の各頂点に位置し、前記着目した電極層は前記正六角形の中心に位置するパターンとなる金属製のリードフレームを準備する工程、
（ｂ）前記正六角形の各頂点に中心を位置させる６個の前記電極層の中から中心位置を結んで底辺が前記連結片に直交し、両辺が前記連結片に対して傾斜する正三角形を構成する３個の前記電極層をそれぞれ第２の電極層として選択し、前記３個の第２の電極層による前記正三角形の中心に位置する前記電極層を第１の電極層と選択し、前記各第１の電極層上に、第１の面に第１の電極を有し前記第１の面の反対面となる第２の面に前記第１の電極とは極性が反対となる第２の電極を有する発光ダイオードチップの前記第２の電極を導電性の接着剤で接続する工程、
（ｃ）前記各正三角形内に位置する前記発光ダイオードチップの前記第１の電極と、前記正三角形を構成する３個の前記第２の電極層のうちの一つでありかつ前記正三角形領域内の前記電極層部分を導電性のワイヤで接続する工程、
（ｄ）前記支持テープの前記第１の面側に前記発光ダイオードチップ及び前記ワイヤを覆う絶縁性樹脂からなる樹脂層を形成する工程、
（ｅ）前記リードフレームにダイシングテープを貼り付けた後、ダイシングブレードで前記樹脂層の表面から前記ダイシングテープの表層に及ぶ切断溝を前記各正三角形の各辺に沿って形成する工程、
（ｆ）前記ダイシングテープを剥離して複数の三角形の発光ダイオード装置を形成する工程とを有することを特徴とする発光ダイオード装置の製造方法。
【請求項２２】
前記工程（ｂ）では、３個以下の前記発光ダイオードチップを接続し、
前記工程（ｃ）では、前記各発光ダイオードチップの前記第１の電極と、前記第２の電極層を導電性のワイヤで接続し、
前記正三角形内においては一つの前記第２の電極層には１本のワイヤしか接続しないことを特徴とする請求項２１に記載の発光ダイオード装置の製造方法。
【請求項２３】
前記工程（ｂ）では、発光色が異なる発光ダイオードチップをそれぞれ接続することを特徴とする請求項２２に記載の発光ダイオード装置の製造方法。
【請求項２４】
前記工程（ｂ）では、発光色が赤色、緑色、青色の３種類の発光ダイオードチップをそれぞれ接続することを特徴とする請求項２２に記載の発光ダイオード装置の製造方法。
【発明の詳細な説明】
【技術分野】
【０００１】
本発明は発光ダイオード（ＬＥＤ）の製造技術に係わり、特に、発光ダイオード装置及びその製造方法並びに照明装置（ＬＥＤ照明装置）に適用して有効な技術に関する。
【背景技術】
【０００２】
発光ダイオードは、使用する化合物半導体の違いにより所望の色を発光させることができる。これら発光ダイオードは照明にも使用されている（例えば、特許文献１）。
【０００３】
特許文献１には、複数の発光ダイオードを一方の面に配列した基板を、樹脂ケースの内底に放熱固定板を介して取り付けたＬＥＤ照明装置が開示されている。複数の発光ダイオードから発光した光は、樹脂ケースの前面に取り付けられた透明カバーを透過して出力される。
【０００４】
また、基板の表面側に四角錐台状の窪みを縦横に整列配置形成し、各窪みの底に発光ダイオードを取り付け、各発光ダイオードから発光した光を四角錐台の４面で反射させることによって表面全体を明るくする照明装置も提案されている（例えば、特許文献２）。特許文献２の照明装置では、発光ダイオードは白色、または他の単色の色、さらには複数色が用いられる旨記載されている。
【０００５】
さらに、フルカラー発光ダイオード装置が知られている（例えば、特許文献３）。特許文献３には、ベース上に三角形状の頂点に配列された赤色（Ｒ）ＬＥＤ素子、緑色（Ｇ）ＬＥＤ素子、および青色（Ｂ）ＬＥＤ素子からなる画素をフィルタキャップで覆ったフルカラー発光ダイオード装置が開示されている。前記各素子はパッケージの下面から２本のリードを突出させるパッケージ品である。また、同文献には、ＲＧＢ，ＲＧＢと繰り返しＬＥＤ素子を複数列に配置したフルカラー発光ダイオード装置が開示されている。このフルカラー発光ダイオード装置では、列方向に直交する行方向に沿って並ぶ複数のＬＥＤ素子は同一色の光を発光する構造になっている。
【０００６】
【特許文献１】特開２００２−２９９７００号公報
【特許文献２】特開２００４−１８５９７２号公報
【特許文献３】特開平９−６４４２０号公報
【発明の開示】
【発明が解決しようとする課題】
【０００７】
従来のＲＧＢの発光ダイオードを配列した照明装置では、前記特許文献にも記載されているように、ＲＧＢを繰り返し一列に配置した発光ダイオード列を列方向に配置し、この発光ダイオード列を列方向に直交する行方向に並列に複数配置して画素を構成している。  このようなＲＧＢの三色を方形に配列する照明装置では、ＲＧＢの各色が帯状に配置されるため、三色の表示バランスが必ずしも良好とは言えない。
【０００８】
本発明の目的は、密に整列配置できる三角形発光ダイオード装置及びその製造方法を提供することにある。
【０００９】
本発明の他の目的は、ＲＧＢ三色のバランスをよりよくできる白色照明装置を提案するものである。
【００１０】
本発明の目的は、ＲＧＢ三色を自由に制御できる照明装置を提案するものである。
【００１１】
本発明の前記ならびにそのほかの目的と新規な特徴は、本明細書の記述および添付図面からあきらかになるであろう。
【課題を解決するための手段】
【００１２】
本願において開示される発明のうち代表的なものの概要を簡単に説明すれば、下記のとおりである。
（１）発光ダイオード装置は、
第１の面及び前記第１の面の反対面となる第２の面を有する透明な絶縁性の樹脂からなる正三角形の封止体と、
前記封止体の前記第２の面の縁から外れた部分に設けられ、外面が前記第２の面に露出し前記外面の反対面となる内面が前記封止体内に位置する第１の電極層と、
前記封止体の前記第２の面の前記三角形の各頂点から前記三角形の所定部分に亘って形成され、外面及び一部の側面が前記封止体の表面に露出し前記外面の反対面となる内面が前記封止体内に位置する３個の第２の電極層と、
前記封止体内に位置し、第１の面に第１の電極を有し、前記第１の面の反対面となる第２の面に前記第１の電極とは極性が反対となる第２の電極を有し、前記第２の電極が前記第２の電極層の前記内面に導電性接着剤によって接続される発光ダイオードチップと、
前記封止体内に位置し、前記発光ダイオードチップの前記第１の電極と前記３個の第２の電極層のうちの一つの第２の電極層とを接続する導電性のワイヤとを有する。
【００１３】
また、このような発光ダイオード装置において、発光ダイオードチップとして赤色（Ｒ）を発光する発光ダイオードチップを組み込めば赤色発光ダイオード装置となり、発光ダイオードチップとして緑色（Ｇ）を発光する発光ダイオードチップを組み込めば緑色発光ダイオード装置となり、発光ダイオードチップとして青色（Ｇ）を発光する発光ダイオードチップを組み込めば青色発光ダイオード装置となる。
【００１４】
このような発光ダイオード装置は、
（ａ）支持テープと、前記支持テープの第１の面に剥離可能に形成された複数の導体からなる電極層とを有し、前記電極層のパターンは、いずれの電極層に着目しても着目した電極層の周囲の電極層は正六角形の各頂点に位置し、前記着目した電極層は前記正六角形の中心に位置するパターンとなる配線板を準備する工程、
（ｂ）前記正六角形の各頂点に中心を位置させる６個の前記電極層の中から中心位置を結んで正三角形を構成する３個の前記電極層をそれぞれ第２の電極層として選択し、前記３個の第２の電極層による前記正三角形の中心に位置する前記電極層を第１の電極層と選択し、前記各第１の電極層上に、第１の面に第１の電極を有し前記第１の面の反対面となる第２の面に前記第１の電極とは極性が反対となる第２の電極を有する発光ダイオードチップの前記第２の電極を導電性の接着剤で接続する工程、
（ｃ）前記各正三角形内に位置する前記発光ダイオードチップの前記第１の電極と、前記正三角形を構成する３個の前記第２の電極層のうちの一つでありかつ前記正三角形領域内の前記電極層部分とを導電性のワイヤで接続する工程、
（ｄ）前記支持テープの前記第１の面側に前記発光ダイオードチップ及び前記ワイヤを覆う絶縁性樹脂からなる樹脂層を形成する工程、
（ｅ）ダイシングブレードで前記樹脂層の表面から前記支持テープの表層に及ぶ切断溝を前記各正三角形の各辺に沿って形成する工程、
（ｆ）前記支持テープを剥離して複数の三角形の発光ダイオード装置を形成する工程を経て製造される。前記工程（ｂ）において、発光ダイオードチップとして赤色（Ｒ）を発光する発光ダイオードチップを接続すれば赤色発光ダイオード装置となり、発光ダイオードチップとして緑色（Ｇ）を発光する発光ダイオードチップを接続すれば緑色発光ダイオード装置となり、発光ダイオードチップとして青色（Ｇ）を発光する発光ダイオードチップを接続すれば青色発光ダイオード装置となる。
【００１５】
前記三色の発光ダイオード装置を実装してなる照明装置は、
封止体内に発光ダイオードチップを有し、前記封止体の第２の面にフリップ・チップ接続が可能な電極層を有する複数の発光ダイオード装置と、
前記発光ダイオード装置を第１の面に複数接続できる配線パターンを有する実装基板とを有する照明装置であって、
前記発光ダイオード装置は、
第１の面及び前記第１の面の反対面となる第２の面を有する透明な絶縁性の樹脂からなる三角形の封止体と、
前記封止体の前記第２の面の縁から外れた部分に設けられ、外面が前記第２の面に露出し前記外面の反対面となる内面が前記封止体内に位置する第１の電極層と、
前記封止体の前記第２の面の前記三角形の各頂点から前記三角形の所定部分に亘って形成され、外面及び一部の側面が前記封止体の表面に露出し前記外面の反対面となる内面が前記封止体内に位置する３個の第２の電極層と、
前記封止体内に位置し、第１の面に第１の電極を有し、前記第１の面の反対面となる第２の面に前記第１の電極とは極性が反対となる第２の電極を有し、前記第２の電極が前記第２の電極層の前記内面に導電性接着剤によって接続される発光ダイオードチップと、
前記封止体内に位置し、前記発光ダイオードチップの前記第１の電極と前記３個の第２の電極層のうちの一つの第２の電極層とを接続する導電性のワイヤとからなり、
前記三角形の発光ダイオード装置は隣接配置される発光ダイオード装置において、対面する相互の三角形の辺が平行に位置するように整列配置されていることを特徴とする。また、前記複数の発光ダイオード装置は発光色が赤色、緑色及び青色となる複数種類の発光ダイオード装置である。
【発明の効果】
【００１６】
本願において開示される発明のうち代表的なものによって得られる効果を簡単に説明すれば、下記のとおりである。
前記（１）の手段によれば、（ａ）発光ダイオード装置は、封止体の外形が正三角形となっていることから、隣接する発光ダイオード装置は対面する各辺を平行にする状態で近接配置することができる。従って、本発明の発光ダイオード装置は、実装基板に搭載して照明装置とした場合、密に整列配置できるので、出力の高い照明装置とすることができる。
【００１７】
（ｂ）上記（ａ）のように、隣接する発光ダイオード装置を対面する各辺が平行になる状態で近接配置することができるため、ＲＧＢの発光ダイオード装置を近接配置して照明装置とした場合、光のバランスが良好になる。即ち、発光ダイオード装置群による輪郭を正三角形または正六角形にすることができる。特に、例えば、左回転方向に沿ってＲ、Ｇ、Ｂ、Ｒ、Ｇ、Ｂと６個の発光ダイオード装置を配置して発光ダイオード装置群の輪郭を正六角形にした場合には、六角形の中心を中心とする６０度ごとの領域は、発光色がＲ、Ｇ、Ｂ、Ｒ、Ｇ、Ｂと均等に配置されるため三色の光バランスが良好になり、白色照明が可能になる。
【００１８】
（ｃ）発光ダイオード装置は、実装面側となる封止体の第２の面に発光ダイオードチップを搭載する第１の電極層が位置し、この第１の電極層が照明装置を構成する実装基板の配線に接続されるため、発光ダイオードチップで発生した熱は第１の電極層を介して実装基板に速やかに伝達されるため、放熱効果が良好になり、照明装置の特性が安定する。
【００１９】
（ｄ）発光ダイオード装置の第２の電極層は正三角形の各頂点部分に設けられ、かつ第２の電極層の先端の角度も６０度と広いものとなることから、フリップ・チップ接続において、接続する半田等の接着剤の濡れ性が良好となり、実装の信頼性が高くなる。
【発明を実施するための最良の形態】
【００２０】
以下、図面を参照して本発明の実施の形態を詳細に説明する。なお、発明の実施の形態を説明するための全図において、同一機能を有するものは同一符号を付け、その繰り返しの説明は省略する。
【実施例１】
【００２１】
図１乃至図１３は本実施例１の発光ダイオード装置及びその製造方法並びに前記発光ダイオード装置を組み込んだ照明装置に係わる図である。図１乃至図３は発光ダイオード装置の構造に係わる図であり、図４乃至図７は発光ダイオード装置の製造方法に係わる図であり、図８乃至図１３は照明装置に係わる図である。
【００２２】
発光ダイオード装置１は、図１乃至図３に示す構造になっている。図１は封止体の一部を除去して示す発光ダイオード装置１の平面図、図２は発光ダイオード装置の底面図、図３は図１のＡ−Ａ線に沿う断面図である。
【００２３】
発光ダイオード装置１は、外観的には三角形板体の封止体２で形成されている。三角形は、製造時材料を無駄なく使用できることから正三角形になっている。封止体２は透明な絶縁性の樹脂（例えば、エポキシ樹脂）で形成されている。
【００２４】
封止体２の第１の面（図３で上面）は、前記透明な絶縁性の樹脂で形成される平坦な面になっている。封止体２の第１の面２ａの反対面となる第２の面２ｂ（図３で下面）には、図２に示すように、第１の電極層３ａと第２の電極層３ｂが露出している。露出する面はいずれも外面であり、内面は封止体２内に位置している。第１の電極層３ａは円形となり、封止体２の第２の面２ｂの縁から外れた部分、例えば第２の面の中心に位置している。第２の電極層３ｂは第１の電極層３ａを６等分した先端の角度が６０度となる扇形となり、正三角形である封止体２の３箇所の頂点から封止体の中心方向（三角形の中心方向）にその幅が封止体２に一致して重なるように延在している。
【００２５】
封止体２内において、図３に示すように、発光ダイオードチップ４が第１の電極層３ａの内面に導電性の接着剤５によって接続されている。発光ダイオードチップ４は第１の面に第１の電極６（例えば、アノード電極）を有し、第１の面の反対面となる第２の面に第１の電極６とは極性が反対となる第２の電極７（例えば、カソード電極）を有している。第１の電極６はワイヤボンディングが可能となる一辺が８０μｍ程度の四角形のパッドからなり、図１に示すように、四角形からなる発光ダイオードチップ４の第１の面に設けられている。また、第２の電極７は、図３に示すように、発光ダイオードチップ４の第２の面全体に設けられる裏面電極となっている。そして、この裏面電極（第２の電極７）が導電性接着剤５によって第１の電極層３ａに電気的に接続されている。また、図１及び図３に示すように、第１の電極６と１個の第２の電極層３ｂは金線等導電性のワイヤ８で電気的に接続されている。このワイヤ８も封止体２内に位置している。
【００２６】
従って、第１の電極層３ａとワイヤ８が接続された第２の電極層３ｂ間に所定の電圧を印加することによって発光ダイオードチップ４は第１の面側に光を発光する。所望の色彩を発光する発光ダイオードチップを第１の電極層に搭載することによって、所望の色彩を発光する発光ダイオード装置１を製造することができる。例えば、赤色（Ｒ）光を発光する発光ダイオードチップを第１の電極層に搭載すれば赤色光を発光する発光ダイオード装置（Ｒ−ＬＥＤ装置）を得ることができる。また、緑色（Ｇ）光を発光する発光ダイオードチップを第１の電極層に搭載すれば緑色光を発光する発光ダイオード装置（Ｇ−ＬＥＤ装置）を得ることができる。また、青色（Ｂ）光を発光する発光ダイオードチップを第１の電極層に搭載すれば青色光を発光する発光ダイオード装置（Ｂ−ＬＥＤ装置）を得ることができる。
【００２７】
つぎに、本実施例１の発光ダイオード装置１の製造方法について、図４乃至図７を参照して説明する。図４は発光ダイオード装置の製造方法を示す工程断面図である。
【００２８】
図４（ａ）に示すように、配線板１０が準備される。この配線板１０は、樹脂からなる支持テープ（支持フィルム）１１と、この支持テープ１１の第１の面１１ａに剥離可能に接着された複数の電極層３とからなっている。配線板１０は、図示しないが、所定の幅を有する長方形となり、その両側には長手方向に沿ってスプロケットホールが設けられている。スプロケットホールは配線板１０の移送時のガイド孔及び配線板１０の位置決め時のガイド孔として使用される。支持テープ１１は、例えば、ポリイミド樹脂からなるフィルムとこのフィルムに重ねられる薄いエポキシ樹脂とからなり、厚さは３０〜１５０μｍのものが使用される。実施例１では１００μｍのものが使用される。電極層３は支持テープ１１の第１の面１１ａにメッキによって形成した厚さ３０μｍ程度の導体層（例えば、銅メッキ膜と、この銅メッキ膜上に形成する金メッキ膜）を常用のホトリソグラフィ技術及びエッチング技術によって選択的に除去することによって形成する。なお、発光ダイオード装置１をフリップ・チップ接続するため、その接続性を良好とするため、前記メッキ膜は金メッキ膜、銅メッキ膜、金メッキ膜、Ｐｄメッキ膜としておいてもよい。
【００２９】
図５に配線板１０の一部を示す。また、図５において、電極層３の配列パターンが分かりやすいように一部の電極層３を示す。図５に示すように、電極層３のパターンは、いずれの電極層３に着目しても着目した電極層３の周囲の電極層３は正六角形の各頂点に位置し、着目した電極層３は正六角形の中心に位置するパターンとなる。図５においては、正六角形１２を一つ示してある。この正六角形１２の中心に着目した電極層３が位置する。この着目した電極層３を第１の電極層３ａとして選択する。そして、着目した電極層３の周囲の電極層３は正六角形１２の各頂点に位置する。この正六角形１２の各頂点に位置する電極層３を第２の電極層３ｂとする。正六角形１２は両側の２辺が上下方向に延在する正六角形となっている。従って、図の上方の頂点と下部両側の頂点を選択して結ぶと正三角形が形成される。この一つの正三角形を説明の便宜上、正三角形１３と呼称する。
【００３０】
第１の電極層３ａ及び第２の電極層３ｂの関係を換言するならば以下のとおりである。即ち、正六角形１２の各頂点に中心を位置させる６個の電極層３の中から中心位置を結んで正三角形１３を構成する３個の電極層３をそれぞれ第２の電極層３ｂとして選択する。そして、この選択によって、３個の第２の電極層３ｂによる正三角形１３の中心に位置する電極層３が第１の電極層３ａとなる。
【００３１】
また、図５に示すように、正三角形１３の各辺に重なる線分、また、前記各辺に重なる線分に対して正三角形１３の各辺の長さ分ずれて平行に延在する線分を線分１４、１５、１６とする。これら線分１４、１５、１６に沿う切断を行うことによって、切断された部分はいずれも同一寸法の正三角形となる。この正三角形が発光ダイオード装置１を形成する部分になる。線分１４に対して線分１５は１２０度の傾きを持ち、線分１４に対して線分１６は６０度の傾きを持つ線分となる。
【００３２】
各１本の線分１４、１５、１６に囲まれる正三角形の中心に位置する電極層３は第１の電極層３ａとなり、正三角形の各頂点に位置する電極層３は第２の電極層３ｂとなる。
【００３３】
つぎに、図４（ｂ）に示すように、第１の電極層３ａの内面に導電性の接着剤５によって発光ダイオードチップ４を接続（搭載）する。図４（ｂ）には示さないが、既に説明したように、発光ダイオードチップ４の第２の電極（裏面電極）が接着剤５によって第１の電極層３ａに接続される。図６は第１の電極層３ａに発光ダイオードチップ４ガ固定された状態を示す模式的平面図である。正三角形１３の中心の第１の電極層３ａ上に発光ダイオードチップ４が固定されている。そして、周囲の正三角形を構成する部分の中心の第１の電極層３ａ上にも発光ダイオードチップ４が固定されている。
【００３４】
つぎに、図４（ｂ）及び図６に示すように、発光ダイオードチップ４の図示しない第１の電極６（図３参照）と正三角形内の領域における一つの第２の電極層３ｂは導電性のワイヤ８で電気的に接続される。第２の電極層３ｂは切断されて先端角度が６０度となる扇形となることから、切断後、ワイヤ８が切断面に露出しないようにその接続位置を選択する必要がある。
【００３５】
つぎに、図４（ｃ）に示すように、支持テープ１１の第１の面１１ａ側に絶縁性樹脂によって樹脂層２０を形成する。この樹脂層２０は発光ダイオードチップ４及びワイヤ８を完全に覆う。樹脂層２０は、例えば、エポキシ樹脂によって一定の厚さに形成する。樹脂層２０の表面は、後に発光ダイオード装置１の発光面となることから、平坦に形成される。例えば、樹脂層２０はトランスファモールディングによって形成する。図７は発光ダイオードチップ４及びワイヤ８等が樹脂層２０によって覆われた状態を示す模式的平面図である。
【００３６】
つぎに、図４（ｄ）に示すように、ダイシングブレード２１によって樹脂層２０の表面から支持テープ１１の表層に及ぶ切断溝２２を正三角形の各辺に沿って形成する。図７で示す太い線１４ａ，１５ａ，１６ａは切断溝２２である。この切断によって、樹脂層２０は封止体２となる。これにより、支持テープ１１に貼り付いた発光ダイオード装置１が複数形成される。
【００３７】
つぎに、各発光ダイオード装置１から支持テープ１１を剥離することによって、図４（ｅ）に示すような正三角形の発光ダイオード装置１が複数製造される。
【００３８】
このような発光ダイオード装置１は、例えば、一辺が５．０ｍｍの正三角形体となり、厚さが０．５ｍｍである。第１の電極層３ａは直径１．５ｍｍであり、発光ダイオードチップ４は一辺が３００μｍの正方形で厚さが１００μｍである。
【００３９】
この発光ダイオード装置１の製造において、第１の電極層３ａ上に所望の色彩を発光する発光ダイオードチップを搭載することによって、所望の色彩を発光する発光ダイオード装置１を製造することができる。例えば、赤色（Ｒ）光を発光する発光ダイオードチップを第１の電極層３ａに搭載すれば赤色光を発光する発光ダイオード装置（Ｒ−ＬＥＤ装置）を得ることができる。また、緑色（Ｇ）光を発光する発光ダイオードチップを第１の電極層３ａに搭載すれば緑色光を発光する発光ダイオード装置（Ｇ−ＬＥＤ装置）を得ることができる。また、青色（Ｂ）光を発光する発光ダイオードチップを第１の電極層３ａに搭載すれば青色光を発光する発光ダイオード装置（Ｂ−ＬＥＤ装置）を得ることができる。
【００４０】
つぎに、本実施例１の発光ダイオード装置の製造方法で製造されたＲ−ＬＥＤ装置、Ｇ−ＬＥＤ装置及びＢ−ＬＥＤ装置の３種類の発光ダイオード装置１を一面に配列した白色光を発光する三角形型照明装置３０について説明する。
【００４１】
図８は三角形型の照明装置３０の模式的平面図である。三角形型照明装置３０は、第１の面に複数の発光ダイオード装置１を搭載できる実装基板３１と、この実装基板３１の第１の面に搭載される複数の発光ダイオード装置１とからなる。発光ダイオード装置１は、Ｒ−ＬＥＤ装置、Ｇ−ＬＥＤ装置及びＢ−ＬＥＤ装置と３種類である。図では発光色の違いを示すためにＲ，Ｇ，Ｂを付してある。そして、３種類の発光ダイオード装置は、封止体２内に組み込む発光ダイオードチップ４の発光色の違いはあっても、発光ダイオード装置の構造は図１乃至図３を用いて説明したフリップ・チップ接続構造の発光ダイオード装置１の構造そのものである。
【００４２】
図８に示すように、正三角形の発光ダイオード装置１が、一辺を下側にあるいは一辺を上側にし、かつ横方向には相互に斜面で接する配列にして、実装基板３１に隙間なく搭載されている。そして、配列される複数の発光ダイオード装置１による群れ、即ち、発光ダイオード装置群の全体の輪郭が正三角形になっている。従って、実装基板３１も前記全体の輪郭が正三角形となる正三角形と一致した構造または近似した寸法の正三角形になっている。図８では実装基板３１が前記全体の輪郭である正三角形よりもわずかに大きい寸法になっている。隣接する発光ダイオード装置１の隙間は３．５ｍｍ程度と近接できる。
【００４３】
図９は三角形型照明装置３０の裏面を模式的に示す模式図である。裏面には、コントロール集積回路装置３２、電源集積回路３３及び３４が実装されている。ここで３３及び３４が２ヶあるのは、ＲＧＢのＬＥＤのＶｆが異なる為に独立して電源をあたえることを想定したものである。また、図９には、一部の配線３５を模式的に示してある。そして実装基板３１に搭載されたＲ、Ｇ、Ｂの各発光ダイオード装置１は、図１１に示す回路ブロック図で示すように、コントロール集積回路装置３２及び電源集積回路３３によって発光色ごとに制御されるようになっている。即ち、３種類の発光ダイオード装置１を、図８に示すように、混じり合う光が均一になるような配置にし、３種類の発光ダイオード装置１を均一の出力で発光させることによって三角形型照明装置３０を白色ランプとして使用することができる。また、３種類の発光ダイオード装置１をコントロール集積回路装置３２及び電源集積回路３３で各発光色ごとに制御することによって光コントロールが可能になり、三角形型照明装置３０をイルミネーションとして使用することができる。なお、光コントロールとは定電流元としての機能、ＲＧＢ調光、温度による電流低下のフィードバック等を行うことで、安定した光を供給することと、ＲＧＢをそれぞれ階調を持たせ時系列で表示させることであらゆる色調を表現することが出来るシステムを言う。
【００４４】
図１０は実装基板３１の第１の面に搭載された隣接する二つの発光ダイオード装置１（Ｒ−ＬＥＤ装置、Ｇ−ＬＥＤ装置）の搭載状態を示す断面図である。実装基板３１は、図１０に示すように、多層配線基板構造となり、絶縁体３９の内部及び表面等に導体層４０ａ〜４０ｆによって配線３５（図１０では符号は省略）を形成している。そして、この一部の配線によってフリップ・チップ接続構造の発光ダイオード装置１の一対の電極（カソード電極及びアノード電極）を接続する接続パッド４１ａ，４１ｂが形成されている。これら接続パッド４１ａ，４１ｂは、最上層の導体層４０ｆによって形成されている。また接続パッド４１ａ，４１ｂの表面には図示しないが金メッキが施されている。これにより、発光ダイオード装置１の第１の電極層３ａ及び第２の電極層３ｂと、接続パッド４１ａ，４１ｂを接続する半田等接合材４２の濡れ性が良好となり、実装の信頼性が高くなる。実装基板３１の第１の面及びこの第１の面の反対面となる第２の面には選択的に絶縁膜４４ａ，４４ｂが設けられている。図示しないが最下層の導体層４０ａの一部には前記絶縁膜４４ｂに覆われない接続パッド（導体層）が複数設けられ、これらの接続パッドにコントロール集積回路装置３２，電源集積回路３３及びソケット３４が電気的に接続されている。
【００４５】
図１２は、三角形型照明装置３０をスタンド型の照明装置にしたものである。スタンド型照明装置５０は、床に載置される脚部５１と、この脚部５１に下端を固定される支柱５２と、支柱５２の上端に取り付けられる照明部５３とを有する。照明部５３は三角形型照明装置３０によって形成されている。脚部５１には、その一側面から先端が差し込みプラグ５４となるコード５５を突出させている。コード５５は支柱５２内を延在させて照明部５３の配線（ソケット３４）に接続されている。また、支柱５２の外周面にはスイッチ５６が取り付けられている。このスイッチ５６は支柱５２内において前記コード５５に接続され、スイッチ５６のオン・オフによって照明部５３がオン・オフするようになっている。照明部５３は、室内を形成する隣り合う二つの壁面６０，６１及び天井面６２で形成される三角錐状の窪みに傾斜して嵌まり込み室内を照明するようになっている。また、照明部５３は支柱５２に対して前後左右に首を振るように取り付けておくことによって、照明方向を自由に選ぶことができる。図１２では、壁面６１の下部に設けられたコンセント６３にプラグ５４を差し込んだ状態としてある。また、脚部５１は室内の隅部に配置するため、三角形状の脚部となっているが、形状はこれに限定されるものではない。
【００４６】
一方、三角形型照明装置３０は実装基板３１が三角形状となっていることから、三角錐窪みの三角形空間に嵌め込める。図１３は、室内を形成する隣り合う二つの壁面６０，６１及び天井面６２で形成される三角錐状の窪みに傾斜して嵌まり込ませて室内を照明する取付型照明装置７０である。取付型照明装置７０とするため、実装基板３１の両側の斜面部分に取付具７１を設ける。この取付具７１の内端は実装基板３１の第２の面に固定されている。また、取付具７１はネジ７２によってそれぞれ壁面６０，６１に固定される。取付具７１はネジ７２によって取り付ける面が自在に選べるように、簡単に曲げ角度を調整できる構造、または材質にしておくことが望ましい。壁面６０に設けたスイッチ７３をオン・オフすることによって取付型照明装置７０はオン・オフする。このため、取付型照明装置７０は、部屋の隅に独立して配置しているように見え、そのコントロールは壁の中の回線を介してスイッチ７３で行う。これにより配線などが表に出てこない綺麗なデザインとすることができる。
【００４７】
また、三角形型照明装置３０は、実装基板３１の第２の面に支持アーム等を取り付けることによって、床に対して所望の角度を有する載置型照明装置として使用できる。この場合でも、支持アームに対して前後に首を振るように調整できる構造としておくことによって、照明方向の床に対する角度を変えることができる。
【００４８】
本実施例１によれば以下の効果を有する。
（１）発光ダイオード装置１は、封止体２の外形が正三角形となっていることから、隣接する発光ダイオード装置１は対面する各辺を平行にする状態で近接配置することができる。従って、本発明の発光ダイオード装置は、実装基板に搭載して照明装置とした場合、密に整列配置できるので、出力の高い照明装置とすることができる。
【００４９】
（２）発光ダイオード装置１の第２の電極層３ｂは正三角形の各頂点部分に設けられ、かつ第２の電極層３ｂの先端の角度も６０度と広いものとなることから、フリップ・チップ接続において、接続する半田等の接着剤の濡れ性が良好となり、実装の信頼性が高くなる。
【００５０】
（３）三角形発光ダイオード装置１の製造においては、支持テープ１１の第１の面１１ａに剥離可能に電極層３を配置した配線板１０を使用し、特定の電極層３（第１の電極層３ａ）上に発光ダイオードチップ４を固定し、この発光ダイオードチップ４の第１の電極６と特定の電極層３（第２の電極層３ｂ）をワイヤ８で接続する方法を採用している。また、その後、配線板１０の第１の面側に絶縁性樹脂からなる樹脂層２０を形成し、つぎに樹脂層２０を三角形となるように切断溝２２を支持テープ１１の途中深さまで形成し、さらに支持テープ１１を剥離することによって発光ダイオード装置１を製造するため、薄型で安価な発光ダイオード装置１を製造することができる。
【００５１】
（４）正三角形の発光ダイオード装置１を実装基板３１の第１の面に整列配置した三角形型照明装置３０においては、隣接する発光ダイオード装置１を対面する各辺が平行になる状態で近接配置することができるため、ＲＧＢの発光ダイオード装置１を近接配置した場合、光のバランスが良好になる。また、ＲＧＢの発光ダイオード装置を均等に配置することによって白色照明が可能になる。また、発光色ごとにコントロール集積回路装置３２お電源集積回路３３で制御することによって、三角形型照明装置３０をイルミネーションとしても使用することができる。本実施例によれば、ＲＧＢ三色を自由に制御できる照明装置を提供できる。
【００５２】
（５）三角形型照明装置３０は三角形となっていることから、天井の隅の三角錐窪みに三角形型照明装置３０を嵌め込む構造の照明装置（スタンド型照明装置５０，取付型照明装置７０）として使用することができ、室内空間を有効に使用して室内を効果的に照明することができる。
【実施例２】
【００５３】
図１４は本発明の実施例２である発光ダイオード装置の封止体の一部を除去して示す平面図、図１５は本実施例２の三角形状の発光ダイオード装置を形成するためのリードフレームを示す模式的平面図である。
【００５４】
本実施例２の発光ダイオード装置１は、実施例１の発光ダイオード装置１において、図１４に示すように、ワイヤ８が接続されない２個の第２の電極層３ｂのうちの一つの第２の電極層３ｂと第１の電極層３ａは連結片８３によって連なり、かつ第１の電極層３ａには封止体２の１側面に一端面が露出する連結片８３が連結されている構造になっている。この構造は、図１５に示すパターンのリードフレーム８０を使用して発光ダイオード装置１を製造することによって形成される。
【００５５】
実施例１では配線板１０を使用して発光ダイオード装置１を製造するが、実施例２では、図１５に示すリードフレーム８０が使用される。リードフレーム８０は金属製（例えば、銅合金板）であり、一対の枠片８１，８２と、この枠片８１，８２間に所定間隔で平行に複数形成された細長の連結片８３とからなっている。連結片８３にはその長手方向に沿って所定間隔（所定ピッチ）に瘤状に形成された円形の電極層３が形成されている。また、隣接する連結片８３における電極層３の位置はずれ（１／２ピッチ）ている。電極層３の配列ピッチ及び寸法は実施例１と同様である。また、少なくとも電極層３の表裏面には金メッキ膜が形成されている。
【００５６】
電極層３の配列パターンは、実施例１の場合と同様に、いずれの電極層３に着目しても着目した電極層３（第１の電極層３ａ）の周囲の電極層３は正六角形の各頂点に位置し、前記着目した電極層３（第１の電極層３ａ）は前記正六角形の中心に位置するパターンとなる（図１５には正六角形は省略してある。図５参照）。なお、図１５には、図５の場合と同様に線分１４、１５、１６を示してある。線分１４、１５、１６が交わる位置の電極層３が第２の電極層３ｂを形成する。
【００５７】
そこで、実施例２の発光ダイオード装置１を製造する場合、実施例１と同様に、図１５に示すように、リードフレーム８０の第１の面側の第１の電極層３ａに発光ダイオードチップ４を固定するとともに、発光ダイオードチップ４の第１の電極６と正三角形１３内の一つの第２の電極層３ｂとをワイヤ８で接続する。その後、リードフレーム８０の第１の面側に、図示しないが実施例１と同様に樹脂層を形成する。ついで、リードフレーム８０の第２の面にダイシングテープを貼り付けてリードフレーム８０を保持させる。その後、実施例１と同様にダイシングブレードによって正三角形１３の各辺に沿うように切断溝をダイシングテープの途中深さまで形成する。さらにダイシングテープを剥離することによって、図１４に示す発光ダイオード装置１が複数製造される。
【００５８】
実施例２の発光ダイオード装置１では、第１の電極層３ａに搭載された発光ダイオードチップ４で発生した熱は、第１の電極層３ａ及び連結片８０を伝達して、また第１の電極層３ａから連結片８０を介して一つの第２の電極層３ｂに伝達して外部に放散されることから、発光ダイオード装置１の放熱効果が良好になる。また、配線板１０に比較してリードフレーム８０は安価であることから、発光ダイオード装置１の製造コストの低減が可能になる。
【実施例３】
【００５９】
図１６乃至図１９は本発明の実施例３である六角形照明装置に係わる図及び六角形照明装置を組み込んだパネル照明装置に係わる図である。図１６は六角形照明装置の模式的正面図、図１７は六角形状照明装置の裏面の電極配列状態を示す模式的底面図、図１８は図１６のＢ−Ｂ線に沿う断面図である。
【００６０】
図１６は本実施例３の六角形照明装置８５である。六角形照明装置８５は、実施例１で製造したＲ、Ｇ、Ｂの３種類の発光ダイオード装置１を、実装基板８６の第１の面にＲ、Ｇ、Ｂ、Ｒ、Ｇ、Ｂと左周りに各６０度内に配列した照明装置である。正六角形の特徴は正三角形を６個で構成されることにある。つまりＲ・Ｇ・Ｂを２個ずつ形６個を色の分散良く配置できる構造である。
【００６１】
図１７は実装基板８６の第２の面（裏面）における第１の電極層３ａとワイヤ８が接続される第２の電極層３ｂを模式的に示す模式的底面図である。発光ダイオード装置１は、図１８に示すように、フリップ・チップ接続によって実装基板８６に固定されている。
【００６２】
実装基板８６における発光ダイオード装置１の実装構造は、実施例１の構造よりも単純である。図１８は実装基板８６の第１の面に搭載された隣接する二つの発光ダイオード装置１（Ｒ−ＬＥＤ装置、Ｇ−ＬＥＤ装置）の搭載状態を示す断面図である。実装基板８６は、図１８に示すように、絶縁体８７の第１及び第２の面に導体層８７ａ，８７ｂを有する。これら導体層８７ａ，８７ｂは導体層８７ｃで接続されている。そして、これら導体層８７ａ，８７ｂ，８７ｃによって配線が形成されている。また、実装基板８６の表裏面には選択的に絶縁膜８８ａ，８８ｂが形成されている。導体層８７ａ，８７ｂは絶縁膜８８ａ，８８ｂから露出している。実装基板８６の第１の面の導体層８７ａはフリップ・チップ接続構造の発光ダイオード装置１の電極（第１の電極層３ａ，第２の電極層３ｂ）を接続する接続パッドを構成している。発光ダイオード装置１の第１の電極層３ａ及び第２の電極層３ｂは導電性の接着剤８９によって導体層８７ａにそれぞれ接続されている。実装基板８６の第２の面（裏面）の導体層８７ｂは六角形照明装置８５の外部電極端子を構成している。そこで、この六角形照明装置８５は他の実装基板に搭載されて所望パターンの照明装置を形成することができる。
【００６３】
図１９は六角形照明装置８５を複数組み合わせて実装したパネル照明装置９０を示す平面図である。図１９では、図１６に示す六角形照明装置８５を実装基板８６の外形寸法を６個の発光ダイオード装置群の全体の輪郭と一致させた構造とし、この六角形照明装置８５を上下及び左右に平面的に隣接させて配置したものである。そして、４個の六角形照明装置８５が搭載される実装基板９１は、４個の六角形照明装置８５による輪郭よりもわずかに大きくした同様の形状としたものである。実装基板９１は、デザインとして、４個配列の六角形照明装置８５に合わせたものであり、他の形状でもよい。めして、この実装基板９１の裏面には、既に説明した実施例１と同様にコントロール集積回路装置３２，電源集積回路３３等を搭載する構成にしてもよい。これにより、パネル照明装置９０を白色ランプとして、あるいはイルミネーションとして使用することができる。
【００６４】
実施例３の六角形照明装置８５は、実装基板８６の第１の面に左回転方向に沿ってＲ、Ｇ、Ｂ、Ｒ、Ｇ、Ｂと６個の発光ダイオード装置１を配置して発光ダイオード装置群の輪郭を正六角形にしてあることから、六角形の中心を中心とする６０度ごとの領域は、発光色がＲ、Ｇ、Ｂ、Ｒ、Ｇ、Ｂと均等に配置されるため三色の光バランスが良好になり、白色照明が可能になる。
【実施例４】
【００６５】
図２０乃至図２１は本発明の実施例４である発光ダイオード装置及びその発光ダイオード装置を組み込んだ三角形型照明装置に係わる図である。図２０は発光ダイオード装置の平面図、図２１は発光ダイオード装置の封止体の一部を除去して示す平面図である。
【００６６】
本実施例４の発光ダイオード装置１Ｂは、実施例１の発光ダイオード装置１において、１個の第１の電極層３ａに発光色がそれぞれ異なる３個の発光ダイオードチップ４を搭載するとともに、各発光ダイオードチップ４の第１の電極６とそれぞれ別となる第１の電極層３ａとをワイヤ８で接続した構造になっている。３個の発光ダイオードチップ４は、Ｒ−ＬＥＤ、Ｇ−ＬＥＤ及びＢ−ＬＥＤである。これにより、発光ダイオード装置１Ｂはそれぞれ白色光を発光するようになる。また、発光ダイオード装置１Ｂは３個の発光ダイオードチップ４を組み込む構造となることから光出力が発光ダイオード装置１に比較して大きくなる。
【００６７】
図２２は本実施例４の発光ダイオード装置１Ｂを組み込んだ三角形型照明装置９５を示す模式的正面図である。図２２に示す三角形型照明装置９５は、図８乃至図１１で説明した三角形型照明装置３０において、組み込む発光ダイオード装置が１個の発光ダイオードチップ４を組み込んだ発光ダイオード装置１に変わって、ＲＧＢの３個の発光ダイオードチップ４を組み込んだ発光ダイオード装置１Ｂを搭載した点が異なることと、実装基板３１ではそれぞれＲＧＢのアノード電極を接続パッドを含む配線パターンが変わる以外は実施例１のものと同じである。従って、三角形型照明装置９５はスタンド型照明装置５０及び取付型照明装置７０等にも同様に適用することができる。
【００６８】
以上本発明者によってなされた発明を実施形態に基づき具体的に説明したが、本発明は上記実施形態に限定されるものではなく、その要旨を逸脱しない範囲で種々変更可能であることはいうまでもない。
【図面の簡単な説明】
【００６９】
【図１】本発明の実施例１である発光ダイオード装置の封止体の一部を除去して示す平面図である。
【図２】前記発光ダイオード装置の底面図である。
【図３】図１のＡ−Ａ線に沿う断面図である。
【図４】本実施例１の発光ダイオード装置の製造方法を示す工程断面図である。
【図５】本実施例１の発光ダイオード装置の製造で用いる配線板の一部を示す模式的平面図である。
【図６】前記配線板に半導体チップを固定し、かつ半導体チップの電極と配線板の配線をワイヤで接続した状態を示す模式的平面図である。
【図７】三角形状の発光ダイオード装置を形成するために、前記配線板の上面を覆う樹脂層及び配線板表面に切断溝を形成した模式的平面図である。
【図８】実施例１の発光ダイオード装置の製造方法で製造した発光ダイオード装置１を組み込んだ三角形型照明装置の模式的正面図である。
【図９】前記三角形型照明装置の裏面を模式的に示す模式図である。
【図１０】前記三角形型照明装置におけるＲ・Ｇ発光ダイオード装置の実装構造を示す模式的断面図である。
【図１１】前記三角形型照明装置の回路構成を示すブロック図である。
【図１２】前記三角形型照明装置のスタンドタイプを示す模式図である。
【図１３】前記三角形型照明装置の壁取付タイプを示す模式図である。
【図１４】本発明の実施例２である発光ダイオード装置の封止体の一部を除去して示す平面図である。
【図１５】本実施例２の三角形状の発光ダイオード装置を形成するためのリードフレームを示す模式的平面図である。
【図１６】本発明の実施例３である六角形照明装置の模式的正面図である。
【図１７】前記六角形状照明装置の裏面の電極配列状態を示す模式的底面図である。
【図１８】図１６のＢ−Ｂ線に沿う断面図である。
【図１９】前記六角形状照明装置を複数組実装したパネル照明装置を示す平面図である。
【図２０】本発明の実施例４である発光ダイオード装置の平面図である。
【図２１】本実施例４の発光ダイオード装置の封止体の一部を除去して示す平面図である。
【図２２】本実施例４の発光ダイオード装置を組み込んだ三角形型照明装置の模式的正面図である。
【符号の説明】
【００７０】
１…発光ダイオード装置、２…封止体、２ａ…第１の面、２ｂ…第２の面、３…電極層、３ａ…第１の電極層、３ｂ…第２の電極層、４…発光ダイオードチップ、５…接着剤、６…第１の電極、７…第２の電極、８…ワイヤ、１０…配線板、１１…支持テープ（支持フィルム）、１１ａ…第１の面、１２…正六角形、１３…正三角形、１４、１５、１６…線分、２０…樹脂層、２１…ダイシングブレード、２２…切断溝、３０…三角形型照明装置、３１…実装基板、３２…コントロール集積回路装置、３３，３４…電源集積回路、３５…配線、４０ａ〜４０ｆ…導体層、４１ａ，４１ｂ…接続パッド、４４ａ，４４ｂ…絶縁膜、５０…スタンド型照明装置、５１…脚部、５２…支柱、５３…照明部、５４…プラグ、５５…コード、５６…スイッチ、６０，６１…壁面、６２…天井面、６３…コンセント、７０…取付型照明装置、７１…取付具、７２…ネジ、７３…スイッチ、８０…リードフレーム、８１，８２…枠片、８３…連結片、８５…六角形照明装置、８６…実装基板、８７ａ，８７ｂ，８７ｃ…導体層、８８ａ，８８ｂ…絶縁膜、８９…接着剤、９０…パネル照明装置、９１…実装基板、９５…三角形型照明装置、９６…実装基板。
【図１】
2007027157.tif 000003
【図２】
2007027157.tif 000004
【図３】
2007027157.tif 000005
【図４】
2007027157.tif 000006
【図５】
2007027157.tif 000007
【図６】
2007027157.tif 000008
【図７】
2007027157.tif 000009
【図８】
2007027157.tif 000010
【図９】
2007027157.tif 000011
【図１０】
2007027157.tif 000012
【図１１】
2007027157.tif 000013
【図１２】
2007027157.tif 000014
【図１３】
2007027157.tif 000015
【図１４】
2007027157.tif 000016
【図１５】
2007027157.tif 000017
【図１６】
2007027157.tif 000018
【図１７】
2007027157.tif 000019
【図１８】
2007027157.tif 000020
【図１９】
2007027157.tif 000021
【図２０】
2007027157.tif 000022
【図２１】
2007027157.tif 000023
【図２２】
2007027157.tif 000024